(57)【特許請求の範囲】
【請求項１】
第１、第２握り部の操作によりそれぞれ相対接近離反する第１、第２挟持部が設けられているとともに、該第１、第２挟持部によってレンズ取付治具のレンズ保持部と一体にされた軸状の取付基部を挟持させ、前記レンズ保持部に吸着又は接着保持された眼鏡レンズから前記レンズ保持部を剥がすレンズ取付治具剥がしプライヤーにおいて、
前記第１、第２挟持部の対向面の少なくとも一方には、相対接近離反する方向に延びる薄肉の係合凸部が前記取付基部の挟持用に設けられ、
前記係合凸部は、両端近傍が湾曲状に突出し、中央部分が直線状に突出することを特徴とするレンズ取付治具剥がしプライヤー。
【発明の詳細な説明】
【０００１】
【発明の属する技術分野】
この発明は、眼鏡レンズを研削加工するレンズ研削装置に取り付けられるレンズ取付治具の取付基部を挟持して、その取付基部に一体にされたレンズ保持部を眼鏡レンズから剥がす吸着治具剥がしプライヤーに関するものである。
【０００２】
【従来技術】
従来、円形で未加工の眼鏡レンズ（生地レンズ）の周縁を眼鏡フレームのレンズ形状（玉型形状）に研削加工するレンズ研削加工装置が知られている。このレンズ研削加工装置では、眼鏡レンズを保持した一対のレンズ回転軸を回転させながら眼鏡レンズを研削砥石で眼鏡フレームの玉型形状に研削加工するようにしている。
【０００３】
このレンズ回転軸に眼鏡レンズを保持させるための治具としては、レンズ回転軸に取り付ける軸状の取付基部と、この取付基部に一体に形成されたレンズ保持部とを備えるゴム等の弾性部材で形成されたレンズ吸着治具が知られている。
【０００４】
このレンズ吸着治具を用いて眼鏡レンズをレンズ回転軸の間に保持させるには、まず、レンズ保持部の接着面に両面テープを接着する。そして、この両面テープが接着した接着面に眼鏡レンズの屈折面を当接させ、両面テープの接着力により眼鏡レンズとレンズ保持部とを固着させる。次に、このレンズ吸着治具の取付基部を一方のレンズ回転軸の端面に設けた軸取付穴に嵌合する。そして、他方のレンズ回転軸に設けたゴム製のレンズ押さえ部材を眼鏡レンズに押し付けることで、眼鏡レンズを一対のレンズ回転軸間に保持（挟持）させるようにしている。
【０００５】
一方、眼鏡レンズを研削加工後、眼鏡レンズを取り出すには、まず、眼鏡レンズに接着したままの状態でレンズ吸着治具を軸取付穴から外し、眼鏡レンズ及びレンズ吸着治具をレンズ回転軸の間から取り出す。そして、第１、第２握り部を相対接近離反させるとそれに連動して相対接近離反する第１、第２挟持部を有するプライヤーにより、レンズ吸着治具の取付基部を挟持して、眼鏡レンズの屈折面から両面テープが接着したレンズ保持部の接着面を剥がしている。
【０００６】
【発明が解決しようとする課題】
しかしながら、プライヤーの第１、第２挟持部で取付基部を挟持すると、ゴム等の弾性部材で形成された取付基部が変形し、その変形の際に第１、第２挟持部に取付基部の側面が密着せずに滑ってしまい、第１、第２挟持部の間から取付基部が外れて、確実に挟持することが困難であった。また、この第１、第２挟持部の対向面の全面が取付基部に接触するため、接触面積が広くなって、挟持力が分散し、強い力をかけてもレンズ保持部と眼鏡レンズとを剥離しにくくなっていた。
【０００７】
そこで、この発明は、眼鏡レンズに接着したレンズ吸着治具のレンズ保持部を容易に剥がすことができる吸着治具剥がしプライヤーを提供することを目的としている。
【0008】
【課題を解決するための手段】
上記目的を達成するために、請求項１に係る発明は、第１、第２握り部の操作によりそれぞれ相対接近離反する第１、第２挟持部が設けられているとともに、この第１、第２挟持部によってレンズ取付治具のレンズ保持部と一体にされた軸状の取付基部を挟持させ、レンズ保持部に吸着又は接着保持された眼鏡レンズからレンズ保持部を剥がすレンズ取付治具剥がしプライヤーにおいて、第１、第２挟持部の対向面の少なくとも一方には、相対接近離反する方向に延びる薄肉の係合凸部が取付基部の挟持用に設けられ、係合凸部は、両端近傍が湾曲状に突出し、中央部分が直線状に突出することを特徴としている。
【０００９】
請求項１の発明によれば、吸着治具剥がしプライヤーの、第１、第２挟持部の少なくとも一方に、取付基部の挟持用に設けられた係合凸部が形成されたので、レンズ挟着治具を眼鏡レンズから剥離する際に、変形した取付基部が第１、第２挟持部に密着する。そして、第１、第２挟持部の間から取付基部が外れることなく、確実に挟持して眼鏡レンズからレンズ吸着治具のレンズ保持部を剥がすことができる。また、取付基部に接触する係合凸部が薄肉であるために、取付基部との接触面積が狭くなって、挟持力が分散することが防止され、さらに第１、第２挟持部の間から取付基部が外れるおそれが低減し、眼鏡レンズからレンズ保持部を容易に剥がすことが可能となっている。
【００１０】
【実施の形態】
以下、図面に基づいてこの発明の実施の形態を説明する。
【００１１】
図１に示す吸着治具剥がしプライヤー１は、第１レバー２と、第２レバー３とを備えている。
【００１２】
この第１レバー２は、一端に第１挟持部４が形成され、他端に第１握り部５が形成されている。また、第１レバー２の第１挟持部４の近傍には、軸取付穴６が設けられている。そして、第１レバー２は、平面視した場合、この軸取付穴６を中心にほぼＳ字状に屈曲されている。
【００１３】
一方、第２レバー３は、一端に第２挟持部７が形成され、他端に第２握り部８が形成されている。また、第２レバー３の第２挟持部７の近傍には、第１レバー２に設けられた軸取付穴６に回動可能に嵌着された軸部９が一体に設けられている。そして、第２レバー３は、平面視した場合、この軸部９を中心に反転したほぼＳ字状に屈曲されている。
【００１４】
第１レバー２と第２レバー３とは、第１、第２握り部５、８が相対接近離反すると、第１、第２挟持部４、７も連動して相対接近離反させられるようにされている。
【００１５】
第１、第２挟持部４、７は、ステンレス等の金属で形成され、それぞれ対向面が湾曲されて、第１、第２湾曲面４ａ、７ａが形成されている。また、図２（ａ）に示すように、第１湾曲面４ａには第１係合凸部１０が形成され、第２湾曲面７ａには第２係合凸部１１が形成されている。また、ここでは、第１、第２湾曲面４ａ、７ａの裏面側の角を切除する傾斜が、第１、第２湾曲面４ａ、７ａと直交する端面に設けられている（図２（ｂ）参照）とともに、第１、第２挟持部４、７の先端同士が互いに近接するように屈曲されている。
【００１６】
さらに、図２（ｂ）に示すように、第１湾曲面４ａには、第２湾曲面７ａと相対接近離反する方向に延びる第１係合凸部１０が設けられている。この第１係合凸部１０は、第１湾曲面４ａと直交する一端面から突出する薄肉の板状を呈している。ここでは、第１係合凸部１０は第１挟持部４の先端近傍及び後端近傍が湾曲状に突出し、中心近傍が直線状に突出して第１直線部１０ａが形成されている。
【００１７】
また、第２湾曲面７ａには、第１湾曲面４ａと相対接近離反する方向に延びる第２係合凸部１１が設けられている。この第２係合凸部１１は、第２湾曲面４ａと直交し、且つ、第１係合凸部１０が形成された一端面に対向する端面から突出する薄肉の板状を呈している。そして、ここでは、第２係合凸部１１は第２挟持部７の先端近傍及び後端近傍が湾曲状に突出し、中心近傍が直線状に突出して第２直線部１１ａが形成されている。
【００１８】
なお、第１直線部１０ａと第２直線部１１ａとの距離ｔは、最も離れた状態で、後述するレンズ吸着治具２０の取付基部２２が入り込むことができる距離が必要である。
【００１９】
第１、第２握り部５、８は、ここでは、それぞれ差し込みカバーにより被覆されている。
【００２０】
以下に、この吸着治具剥がしプライヤー１の使用方法について説明する。
【００２１】
この吸着治具剥がしプライヤー（以下、プライヤーという）１は、図３に示すように、第１、第２挟持部４、７により取付基部２２を挟持させて、その取付基部２２と一体にされたレンズ保持部２１に吸着又は接着保持された眼鏡レンズ３０からレンズ保持部２１を剥がすものである。
【００２２】
レンズ吸着治具２０及び眼鏡レンズ３０は、上述の従来技術において説明したものであり、レンズ吸着治具２０及び眼鏡レンズ３０についての詳細な説明は省略する。ここでは、レンズ吸着治具２０の概要について説明する。
【００２３】
レンズ吸着治具２０は、硬質のゴム等の弾性部材で形成され、レンズ保持部２１と、このレンズ保持部２１に一体に形成された取付基部２２とを備えている。レンズ保持部２１は、両面テープ２３が接着されている接着面２１ａを有し、この両面テープ２３を介して接着面２１ａと、眼鏡レンズ３０の屈折面３１とが接着されている。また、取付基部２２は、レンズ保持部２１の中心から軸状に突出して形成されている。ここでは、図示しないレンズ研削加工装置の回転軸に嵌合するため、側面に凹リング溝２２ａが環状に形成されている。
【００２４】
なお、レンズ保持部２１の接着面２１ａを眼鏡レンズ３０の屈折面３１に吸着させ、その吸着力によりレンズ吸着治具２０と眼鏡レンズ３０とを固着させてもよい。
【００２５】
プライヤー１を使用するには、使用者は、まず、図示しないレンズ研削加工装置の回転軸から、眼鏡レンズ３０が接着したままのレンズ吸着治具２０を外す。そして、図４に示すように、片手で眼鏡レンズ３０をつまみ、他方の手でプライヤー１の第１、第２握り部５、８を相対離反させて、第１、第２挟持部４、７を相対離反させる。この相対離反した第１、第２挟持部４、７との間に、レンズ吸着治具２０の取付基部２２の側面を挟み込んで挟持する。このとき、第１、第２係合凸部１０、１１が形成された第１、第２挟持部４、７の一端面を、レンズ保持部２１に接触させる。
【００２６】
第１、第２握り部５、８を握って、相対接近させるにしたがって、第１、第２挟持部４、７が相対接近し、取付基部２２の側面に挟持力がかかる。このとき、取付基部２２の側面には、第１係合凸部１０の第１直線部１０ａ及び第２係合凸部１１の第２直線部１１ａが接触して、取付基部２２の側面を押圧する。
【００２７】
側面が押圧された取付基部２２は変形するが、レンズ保持部２１が第１、第２挟持部４、７の一端面と、眼鏡レンズ３０との間で押さえられているためレンズ保持部２１は変形しない。よって、取付基部２２のみが第１、第２挟持部４、７の間で変形し、第１、第２係合凸部１０、１１に食い込んで密着する。したがって、第１、第２挟持部４、７が取付基部２２の側面から外れることが防止され、確実に挟持することができる。また、第１、第２係合凸部１０、１１には、第１、第２直線部１０ａ、１１ａがそれぞれ形成されているので、より取付基部２２と密着しやすくなっている。
【００２８】
そして、第１、第２挟持部４、７で取付基部２２の側面を挟持したまま、プライヤー１を持ち上げ、プライヤー１を屈折面３１と平行に回転させて、眼鏡レンズ３０の屈折面３１からレンズ保持部２１の接着面２１ａを剥がす。そのため、プライヤー１を眼鏡レンズ３０の屈折面３１と平行に回転させてレンズ吸着治具２０を剥がす際に第１、第２係合凸部１０、１１が役立ち、眼鏡レンズ３０の薄肉化によりレンズ吸着治具２０の剥がしに伴う眼鏡レンズへの衝撃強度の減少、または眼鏡レンズ３０の割れ、眼鏡レンズ３０に蒸着されたコーティングへの変形による影響等を軽減することができ、回転による剥がし方のほうがダメージが小さい。
【００２９】
このとき、第１、第２挟持部４、７で確実に取付基部２２の側面を挟持でき、眼鏡レンズ２０の屈折面３１からレンズ保持部２１の接着面２１ａを容易に剥がすことが可能となる。
【００３０】
また、取付基部２２の側面が接触するのは、ほぼ第１、第２係合凸部１０、１１の先端だけである。第１、第２係合凸部１０、１１は第１、第２湾曲面４ａ、７ａのそれぞれの厚みと比較して薄肉であるので、第１、第２湾曲面４ａ、７ａの全体が接触する場合と比べ接触面積が狭くなる。よって、取付基部２２の側面を容易に変形させて食い込みやすく、挟持力の分散が防止され、さらに容易に眼鏡レンズ３０からレンズ保持部を剥がすことができる。
【００３１】
さらに、薄肉板状である第１、第２係合凸部１０、１１の先端を、取付基部２２の側面に形成された凹リング溝２２ａ内に嵌め込むことにより、さらに第１、第２挟持部４、７を取付基部２２の側面から外れにくくすることもできる。
【００３２】
また、第１、第２係合凸部１０、１１は、ここでは第１、第２挟持部４、７のそれぞれに形成されているが、少なくとも一方に形成されていればよい。さらに、この第１、第２係合凸部１０、１１に形成された第１、第２直線部１０ａ、１１ａは、適宜、取付治具２２の側面に沿った湾曲面に形成されてもよい。
【００３３】
【発明の効果】
以上説明したように、請求項１の発明は、眼鏡レンズからレンズ保持具を剥がす際に、変形した取付基部が第１、第２挟持部に密着しやすくなり、第１、第２挟持部の間から取付基部が外れることなく、確実に挟持して眼鏡レンズからレンズ吸着治具のレンズ保持部を剥がすことができる。また、薄肉の係合凸部の先端が取付基部に接触して挟持力が分散することが防止され、第１、第２挟持部の間から取付基部が外れるおそれがさらに低減し、容易に眼鏡レンズからレンズ保持部を剥がすことが可能となっている。
【００３４】
したがって、眼鏡レンズに接着したレンズ吸着治具を容易に外すことができる吸着治具剥がしプライヤーを提供することができる。
【図面の簡単な説明】
【図１】この発明にかかる吸着治具剥がしプライヤーの全体斜視図である。
【図２】（ａ）この発明にかかる吸着治具剥がしプライヤーの第１、第２挟持部側の先端拡大平面図である。
（ｂ）図２（ａ）におけるＡ−Ａ断面図である。
【図３】この発明にかかる吸着治具剥がしプライヤーで、眼鏡レンズに接着した吸着治具を挟持している場合の要部断面図である。
【図４】この発明にかかる吸着治具剥がしプライヤーで、眼鏡レンズに接着した吸着治具を剥離する際の説明斜視図である。
【符号の説明】
１        吸着治具剥がしプライヤー
４        第１挟持部
５        第１握り部
７        第２挟持部
８        第２握り部
１０      第１係合凸部
１１      第２係合凸部
２０      レンズ取付治具
２１      レンズ保持部
２２      取付基部
３０      眼鏡レンズ
【図１】
0004907800.tif 000002
【図２】
0004907800.tif 000003
【図３】
0004907800.tif 000004
【図４】
0004907800.tif 000005